(57)【特許請求の範囲】
【請求項１】
平板部と、この平板部に形成される既設浴室の浴槽載置場に適合するよう隆起させた凸形状とを備え、上記平板部が、浴室排水口へ向かう排水勾配を有し、上記凸形状が、複数の既設浴槽台にまたがって設けられる防水床。
【請求項２】
請求項１において、平板部が、その外周に調整用縁部を有する防水床。
【発明の詳細な説明】
【０００１】
【発明の属する技術分野】
本発明は、浴室の改装用防水床に関し、更に詳しくは、マンションや一般住宅等にすでに設置されている浴室を改装する際に好適に使用できる改装用防水床（浴槽載置場用）に関するものである。
【０００２】
【従来の技術】
マンション、一般住宅等に、在来工法で設置された浴室の例を図４（平面図）及び図５（断面図）に示した。コンクリート製の建築物躯体１９上に防水層１３を形成するとともに、その防水層１３の上にモルタル１２の層を形成し、一方には浴槽載置場を、他方には洗場（洗場にはタイルが貼られる）を形成する。そして、浴槽載置場には浴槽台１５及び風呂釜台１６を設け、その浴槽台１５の上には浴槽１７を、風呂釜台１６の上には風呂釜を載置して、浴槽載置場を完成させていた。
【０００３】
このような浴室を長年使用すると、室内の高温多湿が誘因となり、床面や壁面及び天井面に除去困難な黒カビ等が発生し、外観不良やカビ臭等の問題が生じやすかった。
【０００４】
そこで、このような問題が生じた場合に、従来よく行われていた浴室床の改修（在来の改修方法）は、先ず水道やガスの元栓を止め、浴室内の湯水栓、ガス栓、換気扇等の末端機器を外し、排水口、点検口、ドア、額縁、沓摺り等を外し、床面、腰壁のタイルのはつり作業（削る作業）及びモルタルのはつり作業を行った後、再び、床面、腰壁、沓摺り裏面、排水口周囲の防水工事を行い、床にモルタルとともにタイルを貼り、腰壁にタイルを貼り、額縁、沓摺り、天井及びドアを取り付け、浴室を復元させる方法である。しかし、この方法は、作業が煩雑で改修に時間がかかり、その間（約1週間）は入浴できない不便がある。
【０００５】
別の方法は、特開２０００−１１６５６３号公報に開示された方法で、既設浴室の洗場床の形状に適合するように成形された改装用防水床（成形板）を用いて、浴室を改装する方法である。この方法によって、手間と時間は在来の改修方法に比べてかなり省くことができた。
【０００６】
【発明が解決しようとする課題】
本発明は、特開２０００−１１６５６３号公報に開示された方法を発展させることを目的とし、従来よりも更に工事期間を短縮でき、容易に既設浴室を改装できる改装用防水床（浴槽載置場用）を提供することを目的とする。
【０００７】
【課題を解決するための手段】
上記目的を達成するため、本発明では次の構成をとった。すなわち、本発明は、平板部と、この平板部に形成される既設浴室の浴槽載置場に適合するよう隆起させた凸形状とを備え、上記平板部が、浴室排水口へ向かう排水勾配を有し、上記凸形状が、複数の既設浴槽台にまたがって設けられる改装用防水床（浴槽載置場用）２である。
【０００８】
ここで、改装用防水床２は、好ましくは、浴槽載置場の既設浴槽台１５及び既設風呂釜台１６の凸形状に各々対応させて隆起してなる、上に凸形状（下に凹形状）の浴槽置き部５（５ａ、５ｂ、５ｃ、５ｄ）及び風呂釜置き部６をもつ略平板状物である。また、隆起部（すなわち、浴槽置き部５及び風呂釜置き部）以外の部分の平板部３上面は、浴槽載置場に設置したときに浴室排水口４へ向かう排水勾配を有する。
【０００９】
更に、上記改装用防水床２は、平面視で大きめの調整用縁部を有すること（大きめのサイズとすること）が好ましい。外周部を適宜に切り落とすることで、既設浴室の大きさの多少の変動に対応できる。
【００１０】
本発明の改装用防水床の成形材料としては、ノルボルネン系モノマーを反応射出成形して得られるポリノルボルネン系樹脂、シート状の不飽和ポリエステル樹脂成形材料（ＳＭＣともいう）、繊維強化材を配合した熱硬化性プラスチック（ＦＲＰともいう）、熱硬化性樹脂発泡体をガラス繊維で強化したもの、熱硬化性樹脂発泡体をＦＲＰ層でサンドイッチしたもの等が用いられ、耐水性及び機械強度の優れた成形品が得られる材料が好ましい。
【００１１】
浴槽載置場に本発明の改装用防水床を配置する場合、好ましくは、接着剤（エポキシ樹脂系等）を用いて床面と改装用防水床下面とを接着する。
【００１２】
【作用】
本発明の改装用防水床２は、既設浴室１１の浴槽載置場の床の凹凸及び形状に適合するように成形されているので、既設浴室の浴槽載置場の床面に納まりよく直接載置できる。また、載置したとき、防水床２の上面に（浴室排水口４へ向けての）排水勾配があれば、湯水排水は浴室排水口４へ流れ込み、残水しない。
【００１３】
【発明の実施の形態】
以下、図面を参照して、本発明を更に具体的に説明する。
図１は、本発明の一例の改装用防水床２の斜視図である。改装用防水床２は、既設浴室１１の浴槽載置場の床の凹凸及び形状に適合するように成形されており、既設浴槽台１５の凸形状に対応させて上に凸形状（下に凹形状）の方形に隆起した浴槽置き部５（５ａ，５ｂ，５ｃ，５ｄ）が形成され、更に、既設風呂釜台１６の凸形状に対応させて上に凸形状（下に凹形状）の方形に隆起した風呂釜置き部６が形成され、その他の部分は略平板状である。また、長手方向手前側（洗場側）の一辺は下に略直角に連なって下降する折曲部（側壁部）８がある。
【００１４】
また、浴槽置き部５（５ａ，５ｂ，５ｃ，５ｄ）及び風呂釜置き部６以外の防水床２の上面は平板部３を形成しており、平板部３は浴室排水口４へ向けて排水勾配（図面には表現されていない）がある。そのため、湯水排水は残水することなく排水口４へ流れ込む。
【００１５】
なお、上の例では、浴槽置き部５ａ、５ｂ、５ｃ、５ｄは各々島状に孤立させた隆起部としたが、５ａと５ｄ、あるいは、５ｂと５ｃとは繋がっていてもよい。
【００１６】
はつり作業及び洗浄・乾燥を終えた浴槽載置場の床面上に、この改装用防水床２を浴室壁面に接するように配置し、接着剤を用いて床面に接着させる。更に、改装用防水床２の周囲、すなわち、浴槽が壁に接する部分と、浴槽載置場床面及び改装用防水床２の端部が接する部分とにコーキング材（シリコンプライマーなど）を充填し、湯水が改装用防水床２の下の浴槽載置場へ浸入するのを防ぐ。改装後の浴室の平面図を図２に、同縦断面図を図３に示した。
【００１７】
【発明の効果】
本発明の改装用防水床（浴槽載置場用）には、既設浴槽載置場の床面の凹凸に合わせて上に凸形状（下に凹形状）の浴槽置き部及び風呂釜置き部が形成されているので、浴槽載置場での納まりがよい。特開２０００−１１６５６３号公報に開示された改装用防水（洗場用）等と本発明の改装用防水床（浴槽載置場用）とを組み合わせて、従来よりも容易に、短い工事期間で既設浴室を改装できる。
【００１８】
改装用防水床（浴槽載置場用）の上面の平板部に排水勾配があるように工事すれば、湯水排水は浴室排水口に流れ込み、残水（水溜まり）なく排水できる。
【００１９】
平面視で大きめの調整用縁部がある改装用防水床では、その外周部を適宜に切り落として大きさ調整できるので、浴室大きさの多少の変動に対応できる。
【図面の簡単な説明】
【図１】  本発明の一例の改装用防水床の斜視図。
【図２】  本発明の改装用防水床を浴槽載置場に設置した平面図。
【図３】  図２の縦断面図。
【図４】  在来工法で設置された浴室例の平面図。
【図５】  図４の縦断面図。
【符号の説明】
１：浴室        ２：（改装用）防水床
３：平板部      ４：浴室排水口
５（５ａ、５ｂ、５ｃ、５ｄ）：浴槽置き部
６：風呂釜置き部      ７：浴槽
８：折曲部（側壁部）
１１：既設浴室      １２：モルタル
１３：防水層
１５（１５ａ、１５ｂ、１５ｃ、１５ｄ）：浴槽台（既設浴槽台）
１６：風呂釜台（既設風呂釜台）
１７：浴槽（既設浴槽）
１９：建築物躯体
【図１】
0004032343.tif 000002
【図２】
0004032343.tif 000003
【図３】
0004032343.tif 000004
【図４】
0004032343.tif 000005
【図５】
0004032343.tif 000006